(57)【要約】【課題】広告配信の効果を高めることができる広告配信システムを提供する。【解決手段】広告配信システムは、広告を表示する第１無線通信装置と、前記第１無線通信装置の周囲に位置する第２無線通信装置と、前記広告に関する広告情報を前記第１無線通信装置に配信し、前記第１無線通信装置の第１位置情報と前記第２無線通信装置の第２位置情報を収集し、前記第１位置情報と前記第２位置情報とに基づく距離が閾値距離以内である場合、前記第１無線通信装置と対応付けられた第１対象情報を前記広告の効果に応じて更新する情報処理装置と、を有する。【選択図】図２
2019049781.tif 000002
【特許請求の範囲】
【請求項１】
広告を表示する第１無線通信装置と、
前記第１無線通信装置の周囲に位置する第２無線通信装置と、
前記広告に関する広告情報を前記第１無線通信装置に配信し、前記第１無線通信装置の第１位置情報と前記第２無線通信装置の第２位置情報を収集し、前記第１位置情報と前記第２位置情報とに基づく距離が閾値距離以内である場合、前記第１無線通信装置と対応付けられた第１対象情報を前記広告の効果に応じて更新する情報処理装置と、
を有する広告配信システム。
【請求項２】
前記情報処理装置は、前記距離が閾値距離以内である場合、前記第２無線通信装置のユーザに前記広告が視認されたと判断し、前記第１対象情報を更新する、
ことを特徴とする請求項１に記載の広告配信システム。
【請求項３】
前記第１無線通信装置は、前記広告の表示を報知する報知情報を送信し、
前記第２無線通信装置は、前記報知情報を受信した場合に、前記情報処理装置に前記第２位置情報を送信する、
ことを特徴とする請求項１又は２に記載の広告配信システム。
【請求項４】
前記第１無線通信装置は、前記広告の表示を報知する報知情報を送信し、
前記第２無線通信装置は、前記報知情報を受信した場合であって、前記広告情報を有していないとき、前記情報処理装置から前記広告情報を取得し、取得した前記広告情報に基づいて前記広告を表示する、
ことを特徴とする請求項１から３のいずれか１項に記載の広告配信システム。
【請求項５】
前記情報処理装置は、前記第２位置情報を収集した場合、前記第２無線通信装置と対応付けられた第２対象情報を前記広告の効果と異なる効果で更新する、
ことを特徴とする請求項１から４のいずれか１項に記載の広告配信システム。
【請求項６】
前記第１無線通信装置は、稼働中のアプリを判別し、稼働中のアプリに応じた広告を表示する、
ことを特徴とする請求項１から５のいずれか１項に記載の広告配信システム。
【請求項７】
前記第１無線通信装置は、周囲の照度を検出し、検出した照度に応じた広告を表示する、
ことを特徴とする請求項１から６のいずれか１項に記載の広告配信システム。
【請求項８】
広告情報を配信する情報処理装置と接続可能な無線通信装置であって、
前記情報処理装置から配信された広告情報に基づいて、前記広告情報に応じた
広告を表示する表示部、を有し、
前記情報処理装置は、前記無線通信装置の第１位置情報と前記無線通信装置の周囲に位置する他の無線通信装置の第２位置情報を収集し、前記第１位置情報と前記第２位置情報とに基づく距離が閾値距離以内である場合、前記無線通信装置と対応付けられた対象情報を前記広告の効果に応じて更新する、
ことを特徴とする無線通信装置。
【請求項９】
広告に関する広告情報を、前記広告を表示する第１無線通信装置に配信し、
前記第１無線通信装置の第１位置情報と前記第１無線通信装置の周囲に位置する第２無線通信装置の第２位置情報を収集し、
前記第１位置情報と前記第２位置情報とに基づく距離が閾値距離以内である場合、前記第１無線通信装置と対応付けられた対象情報を前記広告の効果に応じて更新する、
処理を実行する処理部を備える情報処理装置。
【発明の詳細な説明】
【技術分野】
【０００１】
本件は、広告配信システム、無線通信装置、及び情報処理装置に関する。
【背景技術】
【０００２】
広告主が配信する広告情報を車輛などの移動体により表示する移動体の広告配信システムが知られている。特に、移動体の移動時間や移動経路、広告情報の表示時間により、移動体の使用者（例えば移動体の購入者など）に対するポイントを算出し、ポイントに応じた報酬を使用者に支払う広告配信システムが知られている（以上、例えば特許文献１参照）。
【先行技術文献】
【特許文献】
【０００３】
【特許文献１】特開２００２−２５１１５８号公報
【発明の概要】
【発明が解決しようとする課題】
【０００４】
しかしながら、移動体の移動時間や移動経路、広告情報の表示時間でポイントを算出して使用者に報酬を支払う広告配信システムでは、広告配信の効果が高いとは限らない。例えば、移動体が僻地を長時間移動しながら広告情報を表示し続けても、広告情報を目にする者は少なく、広告配信の効果は低いおそれがある。
【０００５】
そこで、１つの側面では、広告配信の効果を高めることができる広告配信システム、無線通信装置、及び情報処理装置を提供することを目的とする。
【課題を解決するための手段】
【０００６】
１つの実施態様では、広告配信システムは、広告を表示する第１無線通信装置と、前記第１無線通信装置の周囲に位置する第２無線通信装置と、前記広告に関する広告情報を前記第１無線通信装置に配信し、前記第１無線通信装置の第１位置情報と前記第２無線通信装置の第２位置情報を収集し、前記第１位置情報と前記第２位置情報とに基づく距離が閾値距離以内である場合、前記第１無線通信装置と対応付けられた第１対象情報を前記広告の効果に応じて更新する情報処理装置と、を有する。
【発明の効果】
【０００７】
広告配信の効果を高めることができる。
【図面の簡単な説明】
【０００８】
【図１】図１は広告配信システムの一例である。
【図２】図２は広告配信システムの動作の一例を説明するための図である。
【図３】図３は広告配信サーバのハードウェア構成の一例である。
【図４】図４はサイネージ端末のハードウェア構成の一例である。
【図５】図５（ａ）はサイネージ端末の平面図の一例である。図５（ｂ）はサイネージ端末のＡ−Ａ断面図の一例である。図５（ｃ）はサイネージ端末のＡ−Ａ断面図の他の一例である。
【図６】図６は広告配信システムのブロック図の一例である。
【図７】図７は第１実施形態に係る広告候補リストの一例である。
【図８】図８（ａ）〜（ｄ）は広告データの一例である。
【図９】図９は受信リストの一例である。
【図１０】図１０はユーザ情報の一例である。
【図１１】図１１は広告配信システムのブロック図の他の一例である。
【図１２】図１２はコンテンツサーバの動作の一例を示すフローチャートである。
【図１３】図１３は広告配信サーバの動作の一例を示すフローチャートである。
【図１４】図１４はサイネージ端末の動作の一例を示すフローチャートである。
【図１５】図１５（ａ）は第１実施形態に係る報知情報の一例である。図１５（ｂ）は第１実施形態に係る表示報告情報の一例である。
【図１６】図１６はスマート端末の動作の一例を示すフローチャートである。
【図１７】図１７は第１実施形態に係る検知情報の一例である。
【図１８】図１８は広告配信サーバの動作の他の一例を示すフローチャートである。
【図１９】図１９はポイント管理サーバの動作の一例を示すフローチャートである。
【図２０】図２０は広告配信システムの動作の他の一例を説明するための図である。
【図２１】図２１（ａ）は第２実施形態に係る広告配信システムの一例を部分的に示す図である。図２１（ｂ）は第２実施形態に係る広告配信システムの他の一例を部分的に示す図である。
【図２２】図２２は第１サイネージ端末及び第２サイネージ端末に共通する動作の一例を示すフローチャートである。
【図２３】図２３（ａ）は報知情報リストの一例である。図２３（ｂ）は第２実施形態に係る報知情報の一例である。
【図２４】図２４（ａ）は第２実施形態に係る表示報告情報の一例である。図２４（ｂ）は第２実施形態に係る表示報告情報の他の一例である。
【図２５】図２５（ａ）は第２実施形態に係る広告候補リストの一例である。図２５（ｂ）は第２実施形態に係る広告候補リストの他の一例である。図２５（ｃ）はダウンロード要求の一例である。図２５（ｄ）はダウンロード応答の一例である。
【図２６】図２６は第１サイネージ端末及び第２サイネージ端末に共通する動作の他の一例を示すフローチャートである。
【図２７】図２７は第３実施形態に係るサイネージ端末の動作の一部を例示するフローチャートである。
【図２８】図２８は第３実施形態に係る広告候補リストの一例である。
【図２９】図２９は表示タイミング判断処理の一例を示すフローチャートである。
【図３０】図３０は第４実施形態に係る広告配信システムの一例を部分的に示す図である。
【図３１】図３１は車載サイネージ装置のハードウェア構成の一例である。
【図３２】図３２は車載サイネージ装置のブロック図の一例である。
【図３３】図３３は第４実施形態に係る広告候補リストの一例である。
【図３４】図３４は第４実施形態に係る車載サイネージ装置の動作の一部を例示するフローチャートである。
【図３５】図３５は広告情報選択処理の一例を示すフローチャートである。
【発明を実施するための形態】
【０００９】
以下、本件を実施するための形態について図面を参照して説明する。
【００１０】
（第１実施形態）
図１は広告配信システムＳの一例である。図２は広告配信システムＳの動作の一例を説明するための図である。図１に示すように、広告配信システムＳはコンテンツサーバ１００と広告配信サーバ２００とポイント管理サーバ３００とを含んでいる。また、広告配信システムＳは、サイネージ端末４００とスマート端末５００とを含んでいる。尚、コンテンツサーバ１００及びスマート端末５００はいずれも１台に限定されず、それぞれ２台以上であってもよい。
【００１１】
コンテンツサーバ１００、広告配信サーバ２００、ポイント管理サーバ３００、サイネージ端末４００、及びスマート端末５００は互いに有線通信や無線通信で接続されている。例えば、コンテンツサーバ１００、広告配信サーバ２００、ポイント管理サーバ３００は通信ネットワークＮＷによって接続されている。通信ネットワークＮＷとしては例えばインターネットがある。通信ネットワークＮＷには携帯基地局ＢＳが接続されている。携帯基地局ＢＳの通信可能領域ＡＲ内にサイネージ端末４００及びスマート端末５００が含まれていれば、サイネージ端末４００及びスマート端末５００は無線通信ＷＬ１により携帯基地局ＢＳと接続することができる。無線通信ＷＬ１としては、例えばLong Term Evolution（ＬＴＥ）といった広域無線通信がある。さらに、サイネージ端末４００とスマート端末５００は無線通信ＷＬ２により互いに接続することができる。無線通信ＷＬ２としては、例えばBluetooth（登録商標）といった近距離通信がある。
【００１２】
コンテンツサーバ１００は広告の依頼元又は依頼主である広告依頼元Ｘが管理する情報処理装置である。コンテンツサーバ１００は広告コンテンツや広告場所などを含む広告情報を記憶する。コンテンツサーバ１００は広告情報の送信依頼を検出すると、図２に示すように、広告情報を広告配信サーバ２００に送信する。
【００１３】
広告配信サーバ２００及びポイント管理サーバ３００は広告を斡旋するサービスを提供する事業者が管理する情報処理装置である。広告配信サーバ２００及びポイント管理サーバ３００は、図１に示すように、例えば事業者のデータセンターＤＣなどに設置される。広告配信サーバ２００はコンテンツサーバ１００から送信された広告情報を受信すると、広告情報を識別する広告ＩＤを生成して広告情報と関連付け、広告候補リストにより管理する。詳細は後述するが、広告候補リストは広告配信サーバ２００が受信した広告情報を一覧にした情報である。広告配信サーバ２００は、図２に示すように、定期的に広告候補リストをサイネージ端末４００に配信する。広告候補リストの配信は非定期的であってもよい。尚、ポイント管理サーバ３００の詳細については後述する。
【００１４】
サイネージ端末４００は、一方の面（例えば表側の面）に待受画面など広告以外の画面を表示し、対向する他方の面（例えば裏側の面又は背面）に広告を表示する無線通信可能な端末装置である。サイネージ端末４００は広告配信サーバ２００から配信された広告候補リストを受信すると、図２に示すように、受信した広告候補リストで管理された広告情報の広告を表示する表示タイミングを判断する。詳細は後述するが、サイネージ端末４００はGlobal Positioning System（ＧＰＳ）機能や時計機能を有しており、サイネージ端末４００の現在位置及び現在時刻を利用して表示タイミングを判断する。例えば、サイネージ端末４００の現在位置及び現在時刻が、広告情報が定める広告場所及び広告時間の条件を満足すると、図１及び図２に示すように、サイネージ端末４００は広告を表示する。これにより、サイネージ端末４００を携帯するユーザ１０が待受画面を操作していても、ユーザ２０はサイネージ端末４００が表示する広告を視認することができる。
【００１５】
サイネージ端末４００は広告を表示すると、図２に示すように、近距離無線通信により報知情報をブロードキャストする。報知情報はサイネージ端末４００の周囲に位置するスマート端末５００に広告の表示を報知する情報である。また、サイネージ端末４００は広告を表示すると、図２に示すように、広告配信サーバ２００に表示報告情報を送信する。表示報告情報は、広告の表示が完了したことを報告する情報である。詳細は後述するが、表示報告情報は表示した広告の広告場所や広告時刻、広告時間といった複数の報告項目を含んでいる。
【００１６】
スマート端末５００はユーザ２０が携帯する無線通信可能な端末装置である。スマート端末５００としては、例えばスマートフォンやタブレット端末などがある。スマート端末５００は待受画面などを表示するが、サイネージ端末４００と異なり広告を表示しない。スマート端末５００はサイネージ端末４００から送信された報知情報を受信すると、図２に示すように、広告配信サーバ２００に検知情報を送信する。検知情報はスマート端末５００が報知情報を検知したことを表す情報である。詳細は後述するが、検知情報は報知情報を検知した際のスマート端末５００の検知場所などを含んでいる。
【００１７】
ポイント管理サーバ３００はサイネージ端末４００と対応付けられたユーザ情報を管理する。詳細は後述するが、ユーザ情報はサイネージ端末４００を使用するユーザ１０の識別情報とサイネージ端末４００が表示する広告の効果に応じた点数情報又は得点情報を表すポイントを関連付けてユーザ毎に管理する情報である。ユーザ１０の識別情報としては、例えばユーザＩＤとユーザ名などがある。ポイント管理サーバ３００は、図２に示すように、広告配信サーバ２００が表示報告情報と検知情報とに基づいて送信した広告配信状況を受信すると、ユーザ１０の識別情報と関連付けられたポイントを更新し、ポイントの更新をサイネージ端末４００に通知する。
【００１８】
以下、コンテンツサーバ１００、広告配信サーバ２００、ポイント管理サーバ３００、サイネージ端末４００、及びスマート端末５００についてさらに詳しく説明する。
【００１９】
図３は広告配信サーバ２００のハードウェア構成の一例である。尚、上述したコンテンツサーバ１００及びポイント管理サーバ３００は基本的に広告配信サーバ２００のハードウェア構成と同様であるため、説明を省略する。図３に示すように、広告配信サーバ２００は、少なくともプロセッサとしてのCentral Processing Unit（ＣＰＵ）２００Ａ、Random Access Memory（ＲＡＭ）２００Ｂ、Read Only Memory（ＲＯＭ）２００Ｃ及びネットワークＩ／Ｆ（インタフェース）２００Ｄを含んでいる。広告配信サーバ２００は、必要に応じて、Hard Disk Drive（ＨＤＤ）２００Ｅ、入力Ｉ／Ｆ２００Ｆ、出力Ｉ／Ｆ２００Ｇ、入出力Ｉ／Ｆ２００Ｈ、ドライブ装置２００Ｉの少なくとも１つを含んでいてもよい。ＣＰＵ２００Ａからドライブ装置２００Ｉまでは、内部バス２００Ｊによって互いに接続されている。少なくともＣＰＵ２００ＡとＲＡＭ２００Ｂとが協働することによってコンピュータが実現される。尚、ＣＰＵ２００Ａに代えて上述したＭＰＵをプロセッサとして利用してもよい。
【００２０】
入力Ｉ／Ｆ２００Ｆには、入力装置７１０が接続される。入力装置７１０としては、例えばキーボードやマウスなどがある。出力Ｉ／Ｆ２００Ｇには、表示装置７２０が接続される。表示装置７２０としては、例えば液晶ディスプレイがある。入出力Ｉ／Ｆ２００Ｈには、半導体メモリ７３０が接続される。半導体メモリ７３０としては、例えばUniversal Serial Bus（ＵＳＢ）メモリやフラッシュメモリなどがある。入出力Ｉ／Ｆ２００Ｈは、半導体メモリ７３０に記憶されたプログラムやデータを読み取る。入力Ｉ／Ｆ２００Ｆ及び入出力Ｉ／Ｆ２００Ｈは、例えばＵＳＢポートを備えている。出力Ｉ／Ｆ２００Ｇは、例えばディスプレイポートを備えている。
【００２１】
ドライブ装置２００Ｉには、可搬型記録媒体７４０が挿入される。可搬型記録媒体７４０としては、例えばCompact Disc（ＣＤ）−ＲＯＭ、Digital Versatile Disc（ＤＶＤ）といったリムーバブルディスクがある。ドライブ装置２００Ｉは、可搬型記録媒体７４０に記録されたプログラムやデータを読み込む。ネットワークＩ／Ｆ２００Ｄは、例えばLocal Area Network（ＬＡＮ）ポートを備えている。ネットワークＩ／Ｆ２００Ｄは上述した通信ネットワークＮＷと接続される。
【００２２】
上述したＲＡＭ２００Ｂには、ＲＯＭ２００ＣやＨＤＤ２００Ｅに記憶されたプログラムがＣＰＵ２００Ａによって格納される。ＲＡＭ２００Ｂには、可搬型記録媒体７４０に記録されたプログラムがＣＰＵ２００Ａによって格納される。格納されたプログラムをＣＰＵ２００Ａが実行することにより、ＣＰＵ２００Ａは後述する各種の機能を実現し、また、後述する各種の処理を実行する。尚、プログラムは後述するフローチャートに応じたものとすればよい。
【００２３】
図４はサイネージ端末４００のハードウェア構成の一例である。図５（ａ）はサイネージ端末４００の平面図の一例である。図５（ｂ）はサイネージ端末４００のＡ−Ａ断面図の一例である。図５（ｃ）はサイネージ端末４００のＡ−Ａ断面図の他の一例である。上述したスマート端末５００は、時計及び後述する第２ディスプレイ４００Ｉを含まないことを除き、基本的にサイネージ端末４００のハードウェア構成と同様であるため、説明を省略する。尚、スマート端末５００は時計を含んでいてもよい。
【００２４】
図４に示すようにサイネージ端末４００は、プロセッサとしてのＣＰＵ４００Ａ、ＲＡＭ４００Ｂ、ＲＯＭ４００Ｃ、Non-Volatile Memory（ＮＶＭ：不揮発性メモリ）４００Ｄ及び広域通信回路４００Ｅを含んでいる。広域通信回路４００Ｅにはアンテナ４００Ｅ´が接続されている。広域通信回路４００Ｅに代えて広域通信機能を実現するＣＰＵが利用されてもよい。
【００２５】
また、サイネージ端末４００は、近距離通信回路４００Ｆ、センサ４００Ｇ、第１ディスプレイ４００Ｈ、第２ディスプレイ４００Ｉ、並びにタッチパネル及び時計（タッチパネル／時計と表記）４００Ｊを含んでいる。その他、サイネージ端末４００は、カメラ、マイク及びスピーカなどを含んでいてもよい。ここで、近距離通信回路４００Ｆにはアンテナ４００Ｆ´が接続されている。近距離通信回路４００Ｆに代えて広域通信機能を実現するＣＰＵが利用されてもよい。センサ４００Ｇとしては、例えばＧＰＳセンサや照度センサなどがある。また、第１ディスプレイ４００Ｈ及び第２ディスプレイ４００Ｉとしては、例えばフレキシブルディスプレイ又はフレキシブル液晶などがある。特に、第１ディスプレイ４００Ｈと第２ディスプレイ４００Ｉは互いに対向している。
【００２６】
より詳しくは、図５（ａ）及び（ｂ）に示すように、サイネージ端末４００のＡ−Ａ断面図を参照すると、ＣＰＵ４００ＡやＲＡＭ４００Ｂなどを搭載した基板を含む端末コア部４００Ｐを第１ディスプレイ４００Ｈと第２ディスプレイ４００Ｉで挟み込む構成により第１ディスプレイ４００Ｈと第２ディスプレイ４００Ｉが互いに対向する。そして、第１ディスプレイ４００Ｈと第２ディスプレイ４００Ｉの外側をガラス基板４００Ｑ，４００Ｒで挟み込む構成によりサイネージ端末４００が実現する。
【００２７】
例えば、図５（ａ）及び（ｃ）に示すように、端末コア部４００Ｐを第１ディスプレイ４００Ｈ又は第２ディスプレイ４００Ｉのいずれかで巻き込む構成であってもよい。例えば、端末コア部４００Ｐを第１ディスプレイ４００Ｈで巻き込む場合、第１ディスプレイ４００Ｈの一部の面４００Ｈ−１が広告以外の画面を表示し、第１ディスプレイ４００Ｈの一部に対向する他部の面４００Ｈ−２が広告を表示する。そして、第１ディスプレイ４００Ｈの外側をガラス基板４００Ｑで巻き込む構成によりサイネージ端末４００が実現する。
【００２８】
図４に戻り、ＣＰＵ４００Ａからタッチパネル／時計４００Ｊまでは、内部バス４００Ｋによって互いに接続されている。少なくともＣＰＵ４００ＡとＲＡＭ４００Ｂとが協働することによってコンピュータが実現される。尚、ＣＰＵ４００Ａに代えてMicro Processing Unit（ＭＰＵ）をプロセッサとして利用してもよい。
【００２９】
上述したＲＡＭ４００Ｂには、ＲＯＭ４００ＣやＮＶＭ４００Ｄに記憶されたプログラムがＣＰＵ４００Ａによって格納される。格納されたプログラムをＣＰＵ４００Ａが実行することにより、ＣＰＵ４００Ａは後述する各種の機能を実現し、また、後述する各種の処理を実行する。尚、プログラムは後述するフローチャートに応じたものとすればよい。
【００３０】
図６は広告配信システムＳのブロック図の一例である。特に、図６ではコンテンツサーバ１００、広告配信サーバ２００、及びポイント管理サーバ３００の機能構成を表している。
【００３１】
まず、コンテンツサーバ１００について説明する。コンテンツサーバ１００は広告情報記憶部１０１、通信部１０２、及び広告抽出部１０３を含んでいる。尚、広告情報記憶部１０１は例えば上述したＨＤＤ２００Ｅによって実現される。通信部１０２は例えば上述したネットワークＩ／Ｆ２００Ｄによって実現される。広告抽出部１０３は例えば上述したＣＰＵ２００Ａによって実現される。
【００３２】
広告情報記憶部１０１は広告情報を記憶する。詳細は後述するが、広告情報は広告依頼元、広告データ、広告場所、及び広告時刻を含んでいる。通信部１０２はコンテンツサーバ１００と広告配信サーバ２００との通信を制御する。例えば、通信部１０２は広告抽出部１０３が出力した広告情報を広告配信サーバ２００に向けて送信する。広告抽出部１０３は広告情報の送信依頼を検出すると、広告情報記憶部１０１から送信依頼が特定する広告情報を抽出し、通信部１０２に出力する。このように、コンテンツサーバ１００は広告配信サーバ２００に広告情報を送信する。
【００３３】
次に、広告配信サーバ２００について説明する。広告配信サーバ２００はリスト情報記憶部２０１、通信部２０２、及び処理部としての広告配信部２０３を含んでいる。尚、リスト情報記憶部２０１は例えば上述したＨＤＤ２００Ｅによって実現される。通信部２０２は例えば上述したネットワークＩ／Ｆ２００Ｄによって実現される。広告配信部２０３は例えば上述したＣＰＵ２００Ａによって実現される。
【００３４】
リスト情報記憶部２０１は広告候補リスト及び受信リストを記憶する。広告候補リストは、図７に示すように、広告ＩＤとコンテンツサーバ１００から送信された広告情報とを関連付けて広告ＩＤ毎に管理する。広告ＩＤは広告情報を識別する識別情報である。広告情報は、上述したように、広告依頼元、広告データ、広告場所、及び広告時刻を含んでいる。広告依頼元は広告の配信を依頼した事業者名を表している。広告データは広告コンテンツを表すデータである。尚、広告コンテンツの種別は特に限定されない。
【００３５】
例えば、広告データは、図８（ａ）及び（ｂ）に示すように、清涼飲料水やアルコール飲料を広告するための静止画データ（例えばＪＰＥＧ形式のデータ）であってもよい。また、広告データは、図８（ｃ）に示すように、所定のアニメーションを表示するアニメーションデータ（例えばＧＩＦ形式のデータ）であってもよい。さらに、広告データは、図８（ｄ）に示すように、所定の動画を表示する動画データ（例えばＭＰ３形式のデータ）であってもよい。尚、上述した静止画データは、サイネージ端末４００の周囲の照度に応じた２種類の静止画データを用意してもよい。例えば、サイネージ端末４００の周囲の照度が閾値照度以下の場合には、夜間でもユーザ２０が視認し易い高い明度の静止画データ（図８（ａ）参照）を利用すればよい。逆に、サイネージ端末４００の周囲の照度が閾値照度より大きい場合には、日中でもユーザ２０が視認できる低い明度の静止画データ（図８（ｂ）参照）を利用すればよい。
【００３６】
図７に戻り、広告場所及び広告時刻は広告を表示する場所及び時刻に関する条件を表している。例えば、広告依頼元「Ｇ社」が配信を依頼した広告データ「Ｇ．ｇｉｆ」は広告場所「渋谷駅」及び広告時刻「８：００−９：００」と関連付けられている。このため、広告データ「Ｇ．ｇｉｆ」に基づく広告は広告場所「渋谷駅」で広告時刻「８：００−９：００」に限定されて表示される。
【００３７】
一方、受信リストはサイネージ端末４００から送信されて広告配信サーバ２００が受信した表示報告情報を一覧にした情報である。受信リストは、図９に示すように、通知番号、ユーザＩＤ、広告ＩＤ、広告場所、広告時刻、及び広告時間といった表示報告情報が有する複数の報告項目を互いに関連付けて通知番号毎に管理する。詳細は後述するが、受信リストによって管理された表示報告情報とスマート端末５００から送信されて広告配信サーバ２００が受信した検知情報とを利用して、広告配信状況（図２参照）を送信するか否かが判断される。
【００３８】
通信部２０２は広告配信サーバ２００とコンテンツサーバ１００、ポイント管理サーバ３００、サイネージ端末４００及びスマート端末５００との通信を制御する。例えば、通信部２０２は広告配信部２０３が出力した広告候補リストをサイネージ端末４００に向けて配信する。例えば、通信部２０２は広告配信状況をポイント管理サーバ３００に向けて送信する。例えば、通信部２０２は広告情報や表示報告情報、検知情報を受信する。
【００３９】
広告配信部２０３は通信部２０２から出力された広告情報を受け付けると、広告ＩＤを生成し、生成した広告ＩＤと広告情報を関連付けてリスト情報記憶部２０１が記憶する広告候補リストに追加する。また、広告配信部２０３は定期的にリスト情報記憶部２０１から広告候補リストを取得し、通信部２０２に出力する。この結果、広告配信サーバ２００はサイネージ端末４００に広告候補リストを配信する。さらに、広告配信部２０３は表示報告情報及び検知情報に基づいてサイネージ端末４００及びスマート端末５００の現在位置を収集する。広告配信部２０３は収集した２つの現在位置に基づく距離が閾値距離以内である場合、広告配信状況を生成して通信部２０２に出力する。この結果、広告配信サーバ２００はポイント管理サーバ３００に広告配信状況を送信する。
【００４０】
次に、ポイント管理サーバ３００について説明する。ポイント管理サーバ３００はユーザ情報記憶部３０１、通信部３０２、及びポイント更新部３０３を含んでいる。尚、ユーザ情報記憶部３０１は例えば上述したＨＤＤ２００Ｅによって実現される。通信部３０２は例えば上述したネットワークＩ／Ｆ２００Ｄによって実現される。ポイント更新部３０３は例えば上述したＣＰＵ２００Ａによって実現される。
【００４１】
ユーザ情報記憶部３０１はユーザ情報を記憶する。ユーザ情報は、図１０に示すように、ユーザ１０の識別情報としてのユーザＩＤ及びユーザ名、並びにポイント更新部３０３による更新の対象となる対象情報としてのポイントを関連付けてユーザＩＤ毎に管理する。上述したように、ポイントは、サイネージ端末４００が表示する広告の効果に応じた点数情報又は得点情報を表してもよいが、サイネージ端末４００の使用料金を表す料金情報などであってもよい。
【００４２】
通信部３０２はポイント管理サーバ３００と広告配信サーバ２００、サイネージ端末４００及びスマート端末５００との通信を制御する。例えば、通信部３０２はポイント更新部３０３がポイントを更新すると、ポイントの更新を通知する。例えば、通信部３０２は広告配信サーバ２００から送信された広告配信状況を受信すると、ポイント更新部３０３に出力する。ポイント更新部３０３は通信部２０２から出力された広告配信状況を受け付けると、受け付けた広告配信状況に基づいてポイントを更新する。例えば、ポイント更新部３０３は広告配信状況にユーザＩＤが含まれていれば、そのユーザＩＤと関連付けられたポイントに広告の効果に応じたポイントを付与する。
【００４３】
尚、ポイント更新部３０３はポイントに代えてサイネージ端末４００の使用料金を表す料金情報がユーザＩＤと関連付けられている場合、その使用料金を減額した料金情報に更新してもよい。ポイント更新部３０３はポイントを更新すると、ポイントの更新を通信部３０２に出力する。この結果、ポイント管理サーバ３００はサイネージ端末４００にポイントの更新を通知する。
【００４４】
図１１は広告配信システムＳのブロック図の他の一例である。特に、図１１ではサイネージ端末４００及びスマート端末５００の機能構成を表している。
【００４５】
まず、サイネージ端末４００について説明する。サイネージ端末４００は記憶部４０１、第１通信部４０２、第２通信部４０３、第１表示部４０４、及び第２表示部４０５を含んでいる。また、サイネージ端末４００は検出部４０６、入力部４０７、計時部４０８、及び制御部４０９を含んでいる。尚、記憶部４０１は例えば上述したＮＶＭ４００Ｄによって実現される。第１通信部４０２は例えば上述した広域通信回路４００Ｅによって実現される。第２通信部４０３は例えば上述した近距離通信回路４００Ｆによって実現される。第１表示部４０４は例えば上述した第１ディスプレイ４００Ｈによって実現される。第２表示部４０５は例えば上述した第２ディスプレイ４００Ｉによって実現される。検出部４０６は例えば上述したセンサ４００Ｇ（具体的にはＧＰＳセンサ及び照度センサ）によって実現される。入力部４０７及び計時部４０８は例えば上述したタッチパネル／時計４００Ｊによって実現される。制御部４０９は例えば上述したＣＰＵ４００Ａによって実現される。
【００４６】
記憶部４０１は上述した広告候補リスト（図７参照）や各種のアプリケーションプログラム（以下、単にアプリという）を記憶する。記憶部４０１が記憶するアプリとしては、例えば通話アプリやカメラアプリ、Ｗｅｂを閲覧するためのブラウザアプリ、広告表示用アプリ、広告配信システムＳで使用する専用アプリなどがある。第１通信部４０２は広告配信サーバ２００から配信されて携帯基地局ＢＳから無線通信ＷＬ１により送信された広告候補リストを受信して制御部４０９に出力する。また、第１通信部４０２は後述する表示報告情報を無線通信ＷＬ１により広告配信サーバ２００に向けて送信する。第２通信部４０３は後述する報知情報を無線通信ＷＬ２によりスマート端末５００に向けてブロードキャストする。第１表示部４０４は制御部４０９による制御に基づいて広告以外の画面を表示する。第２表示部４０５は制御部４０９による制御に基づいて広告を表示する。
【００４７】
検出部４０６はサイネージ端末４００の現在位置や周囲の照度を検出する。入力部４０７はユーザ１０による画面操作に応じた指示（例えば上述した各種アプリの起動など）を受け付けて、その指示を制御部４０９に出力する。計時部４０８はサイネージ端末４００の現在時刻を計時する。制御部４０９はサイネージ端末４００の動作を制御する。例えば、制御部４０９は検出部４０６から現在位置を取得し、計時部４０８から現在時刻を取得する。制御部４０９は現在位置及び現在時刻が、記憶部４０１の広告候補リストが管理する広告情報の広告場所及び広告時刻に関する条件を満足している場合、条件を満足する広告情報の広告データと広告表示用アプリを利用して第２表示部４０５を制御し、第２表示部４０５に広告を表示する。例えば、制御部４０９は第２表示部４０５に広告を表示すると、報知情報を生成して第２通信部４０３に出力する。例えば、制御部４０９は広告の表示を停止すると、表示報告情報を生成して第１通信部４０２に出力する。その他、制御部４０９は種々の処理を実行するが、制御部４０９が実行する種々の処理の詳細については後述する。
【００４８】
次に、スマート端末５００について説明する。スマート端末５００は記憶部５０１、第１通信部５０２、第２通信部５０３、及び表示部５０４を含んでいる。また、スマート端末５００は、検出部５０５、入力部５０６、及び制御部５０７を含んでいる。尚、記憶部５０１は例えば上述したＮＶＭ４００Ｄによって実現される。第１通信部５０２は例えば上述した広域通信回路４００Ｅによって実現される。第２通信部５０３は例えば上述した近距離通信回路４００Ｆによって実現される。表示部５０４は例えば上述した第１ディスプレイ４００Ｈによって実現される。検出部５０５は例えば上述したセンサ４００Ｇ（具体的にはＧＰＳセンサ）によって実現される。入力部５０６は例えば上述したタッチパネル／時計４００Ｊにおけるタッチパネルによって実現される。制御部５０７は例えば上述したＣＰＵ４００Ａによって実現される。
【００４９】
記憶部５０１は各種のアプリを記憶する。第１通信部５０２は後述する検知情報を無線通信ＷＬ１により広告配信サーバ２００に向けて送信する。第２通信部５０３はサイネージ端末４００から無線通信ＷＬ２によりブロードキャストされた報知情報を受信して、制御部５０７に出力する。表示部５０４は制御部５０７による制御に基づいて広告以外の画面を表示する。
【００５０】
検出部５０５はスマート端末５００の現在位置を検出する。入力部５０６はユーザ２０による画面操作に応じた指示（例えば各種アプリの起動など）を受け付けて、その指示を制御部５０７に出力する。制御部５０７はスマート端末５００の動作を制御する。例えば、制御部５０７は第２通信部５０３が報知情報を受信したことを検知すると、検出部５０５から現在位置を取得し、報知情報に含まれる通知番号と現在位置などを含む検知情報を生成して第１通信部５０２に出力する。その他、制御部５０７は種々の処理を実行するが、制御部４０９が実行する種々の処理の詳細については後述する。
【００５１】
次に、広告配信システムＳの動作について説明する。
【００５２】
図１２はコンテンツサーバ１００の動作の一例を示すフローチャートである。まず、広告抽出部１０３は広告情報の送信依頼を検出するまで待機する（ステップＳ１０１：ＮＯ）。広告抽出部１０３は広告情報の送信依頼を検出すると（ステップＳ１０１：ＹＥＳ）、送信依頼に応じた広告情報を広告情報記憶部１０１から抽出する（ステップＳ１０２）。例えば、広告抽出部１０３はコンテンツサーバ１００と接続された広告依頼元Ｘの端末装置（不図示）から出力された送信依頼を検出すると、送信依頼によって特定された広告情報を広告情報記憶部１０１から抽出する。広告抽出部１０３は広告情報を抽出すると、抽出した広告情報を通信部１０２を介して送信する（ステップＳ１０３）。
【００５３】
図１３は広告配信サーバ２００の動作の一例を示すフローチャートである。まず、広告配信部２０３は広告情報を受け付けるまで待機する（ステップＳ２０１：ＮＯ）。広告配信部２０３は広告情報を受け付けると（ステップＳ２０１：ＹＥＳ）、広告情報を広告候補リストに追加する（ステップＳ２０２）。例えば、広告配信部２０３は通信部２０２が受信して出力した広告情報を受け付けると、広告ＩＤを生成し、広告ＩＤを関連付けた広告情報をリスト情報記憶部２０１の広告候補リストに追加する。これにより、広告候補リストは広告ＩＤと広告情報とを関連付けて管理する（図７参照）。
【００５４】
ステップＳ２０２の処理が完了すると、次いで、広告配信部２０３は既定の配信時間に到達するまで待機する（ステップＳ２０３：ＮＯ）。既定の配信時間は特に限定されず、例えば２４時間であってもよいし、１時間であってもよい。そして、広告配信部２０３は既定の配信時間に到達すると（ステップＳ２０３：ＹＥＳ）、通信部２０２を介して広告候補リストを配信する（ステップＳ２０４）。広告配信部２０３は以上説明した処理を定期的に繰り返す。尚、広告配信部２０３は広告候補リストを配信した後、配信した広告候補リストをリスト情報記憶部２０１から削除してもよい。すなわち、リスト情報記憶部２０１は広告候補リストを一時的に記憶する。
【００５５】
図１４はサイネージ端末４００の動作の一例を示すフローチャートである。まず、制御部４０９は広告候補リストを受け付けたか否かを判断する（ステップＳ３０１）。より詳しくは、広告配信サーバ２００が配信し、第１通信部４０２が受信して出力した広告候補リストを制御部４０９が受け付けたか否かを判断する。制御部４０９は、広告候補リストを受け付けたと判断した場合（ステップＳ３０１：ＹＥＳ）、受け付けた広告候補リストを記憶部４０１に保存する（ステップＳ３０２）。制御部４０９は、ステップＳ３０２の処理を完了すると、再び、ステップＳ３０１の処理を実行する。
【００５６】
一方、制御部４０９は、広告候補リストを受け付けなかったと判断した場合（ステップＳ３０１：ＮＯ）、現在位置と現在時刻を取得し（ステップＳ３０３）、広告の表示タイミングであるか否かを判断する（ステップＳ３０４）。より詳しくは、制御部４０９は、記憶部４０１から広告候補リストを取得し、取得した広告候補リストが管理する広告情報における広告場所及び広告時間の両方の条件を現在位置と現在時刻がそれぞれ満足するか否かを判断する。
【００５７】
広告場所及び広告時間の一方又は両方の条件を現在位置と現在時刻の一方又は両方が満足しない場合、制御部４０９は広告の表示タイミングでないと判断し（ステップＳ３０４：ＮＯ）、一定時間待機する（ステップＳ３０５）。制御部４０９は、ステップＳ３０５の処理を完了すると、再び、ステップＳ３０１の処理を実行する。
【００５８】
一方、広告場所及び広告時間の両方の条件を現在位置と現在時刻がそれぞれ満足する場合、制御部４０９は広告の表示タイミングであると判断し（ステップＳ３０４：ＹＥＳ）、制御部４０９は広告を表示する（ステップＳ３０６）。より詳しくは、制御部４０９は条件を満足した広告情報の広告データと広告用アプリとに基づいて第２表示部４０５を制御することにより第２表示部４０５に広告を表示する。
【００５９】
ステップＳ３０６の処理が完了すると、次いで、制御部４０９は報知情報をブロードキャストする（ステップＳ３０７）。例えば、制御部４０９は広告配信システムＳ全体で一意の通知番号を生成し、図１５（ａ）に示すように、生成した通知番号を含む報知情報を第２通信部４０３を介してブロードキャストする。尚、報知情報のブロードキャストには、通信帯域があまり広くない近距離通信を利用するため、報知情報の情報量は少ない又は最低限であることが好ましい。また、報知情報は不特定多数のスマート端末５００に向けてブロードキャストされるため、個人情報などユーザ１０を特定可能な情報を含まないことが望ましい。さらに、ステップＳ３０７の処理はステップＳ３０６の処理と順序が逆であってもよい。例えば、制御部４０９は広告を表示する直前に報知情報をブロードキャストし、報知情報をブロードキャストした後に広告を表示するようにしてもよい。
【００６０】
ステップＳ３０７の処理が完了すると、制御部４０９は広告の表示を継続できるか否かを判断する（ステップＳ３０８）。制御部４０９は広告の表示を継続できると判断した場合（ステップＳ３０８：ＹＥＳ）、後続の処理を実行せずに中断する。例えば、制御部４０９は広告場所及び広告時間の両方の条件を現在位置及び現在時刻がそれぞれ満足しており、予め定めた広告表示時間を超えていない場合、制御部４０９は広告の表示を継続できると判断し、後続の処理を中断する。したがって、制御部４０９は広告を表示し続ける。
【００６１】
一方、制御部４０９は広告の表示を継続できないと判断した場合（ステップＳ３０８：ＮＯ）、広告の表示を停止する（ステップＳ３０９）。例えば、制御部４０９は広告場所及び広告時間の一方又は両方の条件を現在位置及び現在時刻の一方又は両方が満足していない場合や、予め定めた広告表示時間を超えている場合、制御部４０９は広告の表示を継続できないと判断し、広告の表示を停止する。一例を挙げると、ユーザ１０が広告場所の条件から離れた位置に移動したり、広告を表示できる時間でない時間になったりした場合、制御部４０９は広告の表示を停止する。
【００６２】
ステップＳ３０９の処理が完了すると、制御部４０９は表示報告情報を送信する（ステップＳ３１０）。より詳しくは、制御部４０９は表示報告情報を生成して第１通信部４０２を介して広告配信サーバ２００に向けて送信する。表示報告情報は、図１５（ｂ）に示すように、ステップＳ３０７の処理で生成した通知番号、サイネージ端末４００を使用するユーザ１０のユーザＩＤ、表示した広告に関する広告ＩＤを含んでいる。また、表示報告情報は、取得した現在位置（具体的には緯度及び経度）と現在位置に対応する地名とを含む広告場所、広告を表示し始めた時刻を表す広告時刻、及び広告の表示時間を表す広告時間を含んでいる。制御部４０９は以上説明した処理を定期的に繰り返す。
【００６３】
図１６はスマート端末５００の動作の一例を示すフローチャートである。まず、制御部５０７は報知情報を受け付けるまで待機する（ステップＳ４０１：ＮＯ）。制御部５０７は報知情報を受け付けると（ステップＳ４０１：ＹＥＳ）、位置情報を取得する（ステップＳ４０２）。例えば、サイネージ端末４００がブロードキャストし、第２通信部５０３が受信して出力した報知情報を制御部５０７が受け付けたと判断すると、制御部５０７は検出部５０５から現在位置を取得する。
【００６４】
制御部５０７は検出部５０５から現在位置を取得すると、検知情報を送信する（ステップＳ４０３）。例えば、制御部５０７は、図１７に示すように、受け受けた報知情報に含まれる通知番号と、取得した現在位置（具体的には緯度及び経度）及び現在位置に応じた地名とを含む検知情報を第１通信部５０２を介して広告配信サーバ２００に向けて送信する。制御部５０７は以上説明した処理をバックグラウンドで定期的に繰り返す。
【００６５】
図１８は広告配信サーバ２００の動作の他の一例を示すフローチャートである。まず、広告配信部２０３は表示報告情報を受け付けたか否かを判断する（ステップＳ５０１）。広告配信部２０３は表示報告情報を受け付けたと判断すると（ステップＳ５０１：ＹＥＳ）、表示報告情報を受信リストに追加する（ステップＳ５０２）。例えば、広告配信部２０３は通信部２０２が受信して出力した表示報告情報（図１５（ｂ）参照）を受け付けると、表示報告情報に含まれる複数の報告項目を抽出し、抽出した複数の報告項目をリスト情報記憶部２０１の受信リスト（図９参照）に追加する。このように、広告配信部２０３はサイネージ端末４００の広告場所を収集する。本実施形態では、広告配信部２０３は通知番号「Ｕ３３３−ｄ２３４」の表示報告情報を受信リストに追加している。
【００６６】
一方、広告配信部２０３は表示報告情報を受け付けていないと判断すると（ステップＳ５０１：ＮＯ）、検知情報を受け付けたか否かを判断する（ステップＳ５０３）。広告配信部２０３は検知情報を受け付けていないと判断すると（ステップＳ５０３：ＮＯ）、再び、ステップＳ５０１の処理を実行する。例えば、広告配信部２０３は通信部２０２が受信して出力する検知情報（図１７参照）を受け付けていないと、再び、ステップＳ５０１の処理を実行する。
【００６７】
一方、広告配信部２０３は検知情報を受け付けたと判断すると（ステップＳ５０３：ＹＥＳ）、通知番号に応じた表示報告情報を抽出する（ステップＳ５０４）。より詳しくは、広告配信部２０３は検知情報に含まれる通知番号に対応する表示報告情報を受信リストから抽出する。本実施形態では、検知情報に通知番号「Ｕ３３３−ｄ２３４」が含まれるため（図１７参照）、広告配信部２０３は受信リスト（図９参照）から通知番号「Ｕ３３３−ｄ２３４」を含む表示報告情報を抽出する。尚、サイネージ端末４００が表示する広告の広告時間によっては、広告配信部２０３は表示報告情報よりも先に検知情報を受け付ける可能性がある。この場合、広告配信部２０３は検知情報の通知番号に基づく受信リストからの表示報告情報の抽出を次のタイミングで行う。
【００６８】
ステップＳ５０４の処理が完了すると、広告配信部２０３は抽出した表示報告情報の広告場所と検知情報に含まれる検知場所を比較し（ステップＳ５０５）、広告場所と検知場所が近いか否かを判断する（ステップＳ５０６）。より詳しくは、広告配信部２０３は広告場所と検知場所との距離が閾値距離以内であるか否かを判断する。
【００６９】
例えば広告場所と検知場所との距離が閾値距離以内であることにより、広告場所と検知場所が近いと広告配信部２０３が判断した場合（ステップＳ５０６：ＹＥＳ）、広告配信部２０３は広告配信状況を送信する（ステップＳ５０７）。より詳しくは、広告配信部２０３は通信部２０２を介して広告配信状況をポイント管理サーバ３００に向けて送信する。広告配信状況は例えば表示報告情報に含まれる複数の報告項目を含んでいる。一方、広告場所と検知場所との距離が閾値距離以内でないことにより、広告場所と検知場所が近くないと広告配信部２０３が判断した場合（ステップＳ５０６：ＮＯ）、広告配信部２０３はステップＳ５０７の処理をスキップする。広告配信部２０３は以上説明した処理を定期的に繰り返す。
【００７０】
このように、広告場所と検知場所が近いか否かを広告配信部２０３が判断する理由は、広告場所と検知場所が近ければ、サイネージ端末４００が広告を表示している際、スマート端末５００を携帯するユーザ２０がサイネージ端末４００を携帯するユーザ１０の近くにいると推定できる。すなわち、サイネージ端末４００が表示している広告をユーザ２０が視認する可能性が高いと判断できる。このように、表示報告情報と検知情報を利用することにより、広告配信サーバ２００が配信した広告の配信効果を把握することができる。そして、広告場所と検知場所が近い場合に、広告配信部２０３が広告配信状況をポイント管理サーバ３００に送信することで、ポイント管理サーバ３００は広告配信状況に基づいてポイントを更新することができる。
【００７１】
図１９はポイント管理サーバ３００の動作の一例を示すフローチャートである。まず、ポイント更新部３０３は広告配信状況を受け付けるまで待機する（ステップＳ６０１：ＮＯ）。ポイント更新部３０３は広告配信状況を受け付けると（ステップＳ６０１：ＹＥＳ）、ユーザＩＤを特定する（ステップＳ６０２）。例えば、広告配信サーバ２００が送信し通信部３０２が受信して出力した広告配信状況をポイント更新部３０３が受け付けたと判断すると、ポイント更新部３０３は広告配信状況に含まれるユーザＩＤを特定する。
【００７２】
ステップＳ６０２の処理が完了すると、ポイント更新部３０３はポイントを更新する（ステップＳ６０３）。より詳しくは、ポイント更新部３０３はユーザ情報記憶部３０１が記憶するユーザ情報の中から特定したユーザＩＤを確認し、確認したユーザＩＤに対応付けられたポイントを更新する。尚、ポイント更新部３０３が更新するポイントの更新形態は特に限定されない。
【００７３】
例えば、ポイント更新部３０３は広告配信状況を受け付ける度に、広告配信状況に含まれるユーザＩＤに予め定めた所定のポイントを付与してもよいし、広告配信状況に含まれる広告場所や広告時刻、広告時間によって異なるポイントを付与してもよい。例えば、広告配信サーバ２００が送信し通信部３０２が受信して出力した検知情報を広告配信状況ととともにポイント更新部３０３が受け付けた場合、ポイント更新部３０３は所定のポイントを付与し、検知情報をポイント更新部３０３が受け付けなかった場合、所定のポイントの半分を付与するようにしてもよい。すなわち、検知情報の受付の有無に応じて、付与するポイントの重みを変更するようにしてもよい。
【００７４】
以上、第１実施形態によれば、広告配信システムＳは、広告を表示するサイネージ端末４００と、サイネージ端末４００の周囲に位置するスマート端末５００とを含んでいる。また、広告配信システムＳは、広告に関する広告情報をサイネージ端末４００に配信し、サイネージ端末４００の現在位置とスマート端末５００の現在位置を収集し、２つの現在位置に基づく距離が閾値距離以内である場合、サイネージ端末４００と対応付けられたポイントを広告の効果に応じて更新する広告配信サーバ２００及びポイント管理サーバ３００を含んでいる。これにより、広告配信の効果を高めることができる。
【００７５】
特に、サイネージ端末４００からブロードキャストされた報知情報に対する検知情報をスマート端末５００が広告配信サーバ２００に送信するため、サイネージ端末４００が表示する広告をユーザ２０が視認できる可能性が高いときに、ユーザ１０にポイントを付与することができる。例えば、ユーザ１０が通話アプリにより通話していたり、カメラアプリにより被写体を撮影していたりする場合、サイネージ端末４００が表示する広告はユーザ１０の顔面側とは逆側に向けられるため、サイネージ端末４００が表示する広告をユーザ２０が視認できる可能性が高い。この結果、サイネージ端末４００を携帯するユーザ１０はユーザ２０が多く集まる場所で広告の表示を試みる可能性が高く、広告配信の効果を高めることができる。
【００７６】
（第２実施形態）
図２０は広告配信システムＳの動作の他の一例を説明するための図である。図２１（ａ）は第２実施形態に係る広告配信システムＳの一例を部分的に示す図である。図２１（ｂ）は第２実施形態に係る広告配信システムＳの他の一例を部分的に示す図である。第１実施形態に係る広告配信システムＳは、サイネージ端末４００とスマート端末５００を含んでいたが、第２実施形態に係る広告配信システムＳは、サイネージ端末４１０とサイネージ端末４２０を含む点で第１実施形態と相違する。以下、第２実施形態では、サイネージ端末４１０を第１サイネージ端末４１０と呼び、サイネージ端末４２０を第２サイネージ端末４２０と呼ぶ。第１サイネージ端末４１０及び第２サイネージ端末４２０のハードウェア構成及び機能構成は、第１実施形態で説明したサイネージ端末４００と基本的に同様である。
【００７７】
まず、図２０に示すように、コンテンツサーバ１００は広告情報の送信依頼を検出すると、広告情報を広告配信サーバ２００に送信する。広告配信サーバ２００は、広告情報を受信すると、定期的に広告候補リストを第１サイネージ端末４１０と第２サイネージ端末４２０に配信する。広告候補リストの配信は非定期的であってもよい。尚、第１サイネージ端末４１０及び第２サイネージ端末４２０が位置する環境によっては、第１サイネージ端末４１０と第２サイネージ端末４２０のいずれかが広告候補リストを受信できない可能性がある。この結果、例えば第１サイネージ端末４１０が最新の広告候補リストを受信して記憶していても、第２サイネージ端末４２０が最新の広告候補リストを受信できずに古い広告候補リストを記憶している可能性がある。すなわち、第１サイネージ端末４１０が記憶する広告候補リストと第２サイネージ端末４２０が記憶する広告候補リストが異なる場合がある。
【００７８】
第１サイネージ端末４１０及び第２サイネージ端末４２０は広告配信サーバ２００から配信された広告候補リストを受信すると、それぞれ広告候補リストで管理された広告情報の広告を表示する表示タイミングを判断する。例えば、第１サイネージ端末４１０の現在位置及び現在時刻が、広告情報が定める広告場所及び広告時間の条件を満足すると、図２０及び図２１（ａ）に示すように、第１サイネージ端末４１０は広告を表示する。一方、第２サイネージ端末４２０が、第１サイネージ端末４１０が表示する広告の広告情報を持たない広告候補リストを記憶していると、図２０及び図２１（ａ）に示すように、第２サイネージ端末４２０は第１サイネージ端末４１０が表示する広告と同じ広告を表示することができないときがある。
【００７９】
第１サイネージ端末４１０は広告を表示すると、図２０に示すように、近距離無線通信により報知情報をブロードキャストし、広告配信サーバ２００に表示報告情報を送信する。一方、第２サイネージ端末４２０は広告を表示できないため、報知情報をブロードキャストできず、広告配信サーバ２００に表示報告情報を送信することもできない。このような場合、第２サイネージ端末４２０は表示できなかった広告に関する広告情報の送信を広告配信サーバ２００に要求（リクエスト）し、その広告情報を取得（ダウンロード）する。そして、第２サイネージ端末４２０の現在位置及び現在時刻が、取得した広告情報が定める広告場所及び広告時間の条件を満足すると、図２０及び図２１（ｂ）に示すように、第２サイネージ端末４２０は広告を表示する。これにより、第１サイネージ端末４１０を携帯するユーザ１０及び第２サイネージ端末４２０を携帯するユーザ２０と異なるユーザ３０は、第２サイネージ端末４２０が表示する広告を視認することができる。
【００８０】
第２サイネージ端末４２０は広告を表示すると、図２０に示すように、広告配信サーバ２００に表示報告情報を送信する。尚、図２０では示されていないが、第２サイネージ端末４２０は、近距離無線通信により報知情報をブロードキャストしてもよい。ポイント管理サーバ３００は、図２０に示すように、広告配信サーバ２００が２つの表示報告情報に基づいて送信した広告配信状況を受信すると、ユーザ１０の識別情報と関連付けられたポイントを更新し、ポイントの更新を第１サイネージ端末４１０と第２サイネージ端末４２０に通知する。
【００８１】
図２２は第１サイネージ端末４１０及び第２サイネージ端末４２０に共通する動作の一例を示すフローチャートである。特に、図２２では、第１実施形態で説明したサイネージ端末４００の動作と共通する動作については省略して示している。
【００８２】
制御部４０９は、第１実施形態で説明したように、ステップＳ３０４の処理において、広告の表示タイミングであると判断すると、報知情報リストを確認する（ステップＳ７０１）。報知情報リストは記憶部４０１に記憶されている。報知情報リストは、図２３（ａ）に示すように、ブロードキャストされて受信した報知情報を一覧にした情報である。第２実施形態では、図２３（ｂ）に示すように、広告ＩＤとユーザＩＤを含む報知情報がブロードキャストされる。このため、報知情報リストはブロードキャストされた報知情報に含まれる報知項目としての広告ＩＤとユーザＩＤ、及び報知情報の更新時刻を管理する。更新時刻は報知情報の受信時刻であってもよい。
【００８３】
ステップＳ７０１の処理が完了すると、制御部４０９は報知情報があるか否かを判断する（ステップＳ７０２）。例えば、報知情報をブロードキャストする第１サイネージ端末４１０は報知情報を受信しないため、制御部４０９は報知情報がないと判断する。逆に、報知情報がブロードキャストされる第２サイネージ端末４２０は報知情報を受信するため、制御部４０９は報知情報があると判断する。
【００８４】
制御部４０９は報知情報がないと判断した場合（ステップＳ７０２：ＮＯ）、親ユーザＩＤになしを設定する（ステップＳ７０３）。例えば、制御部４０９は報知情報リストを確認し、報知情報リストに報知情報が全くない場合、後に送信する表示報告情報の親ユーザＩＤの欄に親ユーザＩＤがないことを表す情報「なし」を設定する。ステップＳ７０３の処理が完了すると、制御部４０９はステップＳ３０６の処理を実行し、次いで、ステップＳ３０７の処理を実行する。すなわち、制御部４０９は広告を表示し、報知情報をブロードキャストする。制御部４０９は広告の表示を停止すると、表示報告情報を送信する。特に、図２４（ａ）に示すように、制御部４０９が送信する表示報告情報の親ユーザＩＤには情報「なし」が格納される。
【００８５】
一方、制御部４０９は報知情報があると判断した場合（ステップＳ７０２：ＹＥＳ）、報知情報の広告ＩＤで広告候補リストを検索する（ステップＳ７０４）。より詳しくは、制御部４０９は報知情報リスト（図２３（ａ）参照）が管理する広告ＩＤを利用して広告候補リストを検索する。そして、制御部４０９は検索する広告候補リストに広告ＩＤがあるか否かを判断する（ステップＳ７０５）。
【００８６】
例えば、第１サイネージ端末４１０の記憶部４０１が、図２５（ａ）に示すように、広告候補リストを記憶しており、第２サイネージ端末４２０の記憶部４０１が、図２５（ｂ）に示すように、広告候補リストを記憶している場合、２つの広告候補リストは異なっている。広告候補リストの相違は例えば広告候補リストの受信環境や受信タイミングに起因する。ここで、第２サイネージ端末４２０の記憶部４０１が記憶する広告候補リスト（図２５（ｂ）参照）には、第１サイネージ端末４１０の記憶部４０１が記憶する広告候補リスト（図２５（ａ）参照）で管理された広告ＩＤ「Ａ００４」の広告情報が管理されていない。このため、報知情報リスト（図２３（ａ）参照）が管理する広告ＩＤ「Ａ００４」を第２サイネージ端末４２０の記憶部４０１が記憶する広告候補リストから検索しても、制御部４０９は広告候補リストに広告ＩＤがないと判断する。
【００８７】
制御部４０９は広告候補リストに広告ＩＤがないと判断した場合（ステップＳ７０５：ＮＯ）、第１通信部４０２を介してダウンロード要求を送信する（ステップＳ７０６）。ダウンロード要求は、図２５（ｃ）に示すように、広告ＩＤとユーザＩＤとステータスとを含んでいる。尚、ユーザＩＤにはダウンロードを要求する要求元の情報が格納される。すなわち、第２サイネージ端末４２０がダウンロード要求を送信する場合、ユーザＩＤには第２サイネージ端末４２０を使用するユーザ２０のユーザＩＤ「４４４」が格納される。尚、ステータスにはダウンロード要求を表す情報「リクエスト」が格納される。
【００８８】
ステップＳ７０６の処理が完了すると、制御部４０９はダウンロード応答を取得する（ステップＳ７０７）。より詳しくは、制御部４０９はダウンロード要求に応じて広告配信サーバ２００から送信されたダウンロード応答を第１通信部４０２を介して取得する。ダウンロード応答は、図２５（ｄ）に示すように、広告ＩＤと広告データと広告場所と広告時刻とを含んでいる。これにより、制御部４０９は後続の処理において取得した広告データに応じた広告を表示することができる。
【００８９】
ステップＳ７０７の処理が完了すると、制御部４０９は親ユーザＩＤに報知元ユーザＩＤを設定する（ステップＳ７０８）。ステップＳ７０８の処理が完了すると、制御部４０９はステップＳ３０６の処理を実行し、次いで、ステップＳ３０７の処理を実行する。すなわち、制御部４０９は広告を表示し、報知情報をブロードキャストする。制御部４０９は広告の表示を停止すると、表示報告情報を送信する。特に、図２４（ｂ）に示すように、制御部４０９が送信する表示報告情報の親ユーザＩＤには報知元ユーザＩＤ「３３３」が格納される。すなわち、報知情報をブロードキャストした第１サイネージ端末４１０を使用するユーザ１０のユーザＩＤが格納される。
【００９０】
尚、制御部４０９は広告候補リストに広告ＩＤがあると判断した場合（ステップＳ７０５：ＹＥＳ）、広告ＩＤに応じた広告データを取得し（ステップＳ７０９）、ステップＳ７０８の処理を実行する。制御部４０９はステップＳ３０３の処理やＳ３０７の処理などに加え、以上説明した処理を定期的に繰り返す。
【００９１】
図２６は第１サイネージ端末４１０及び第２サイネージ端末４２０に共通する動作の他の一例を示すフローチャートである。まず、制御部４０９は報知情報を受け付けるまで待機する（ステップＳ８０１：ＮＯ）。制御部４０９は報知情報を受け付けると（ステップＳ８０１：ＹＥＳ）、報知情報リストを確認し（ステップＳ８０２）、報知情報リストにあるか否かを判断する（ステップＳ８０３）。
【００９２】
制御部４０９は受け付けた報知情報が報知情報リストにないと判断すると（ステップＳ８０３：ＮＯ）、近辺での広告表示をユーザに通知する（ステップＳ８０４）。すなわち、受け付けた報知情報が報知情報リストにない新たな報知情報である場合、制御部４０９はユーザ２０の近辺で広告が表示されていることを、画面表示や音声出力、振動（バイブレータ機能）等でユーザ２０に通知する。これにより、ユーザ２０は自身の周囲を確認し、第１サイネージ端末４１０が表示する広告を視認することができる。尚、制御部４０９は受け付けた報知情報が報知情報リストにあると判断すると（ステップＳ８０３：ＹＥＳ）、ステップＳ８０４の処理をスキップする。
【００９３】
ステップＳ８０４の処理が完了した場合、又は、ステップＳ８０４の処理がスキップされた場合、制御部４０９は報知情報リストを更新する（ステップＳ８０５）。具体的には、受け付けた報知情報が報知情報リストになければ、制御部４０９はその報知情報を報知情報リストに追加する。一方、受け付けた報知情報が報知情報リストにあれば、制御部４０９はその報知情報に基づいて報知情報リスト管理する該当の報知情報を書き換える。
【００９４】
ステップＳ８０５の処理が完了すると、制御部４０９は閾値時間以上更新されていない報知情報を削除する（ステップＳ８０６）。報知情報が閾値時間以上更新されていない場合、既に広告が表示されていない可能性があるため、制御部４０９はその報知情報を削除して、報知情報リストを最新の状態に保つ。制御部４０９は以上説明した処理をバックグラウンドで定期的に繰り返す。
【００９５】
以上、第２実施形態によれば、第１サイネージ端末４１０が広告の表示を停止しても、第２サイネージ端末４２０は表示継続可能である限り同じ広告を表示し続ける。そして、第２サイネージ端末４２０もまた報知情報をブロードキャストするため、報知情報を受信した別のサイネージ端末（不図示）も同じ広告を表示する。このように、報知情報を受信できる位置に別のサイネージ端末が存在すれば、同じ広告が次々と伝搬する。これにより、広告配信の効果が向上する。
【００９６】
また、第２実施形態によれば、第１サイネージ端末４１０を携帯するユーザ１０だけでなく、第２サイネージ端末４２０を携帯するユーザ２０と対応付けられたポイントなどの対象情報を広告配信の効果応じて更新することができる。特に、第１サイネージ端末４１０からユーザ１０のユーザＩＤを含む表示報告情報が広告配信サーバ２００に送信されるだけでなく、第２サイネージ端末４２０からもユーザ１０とユーザ２０のそれぞれのユーザＩＤを含む表示報告情報が広告配信サーバ２００に送信される。このため、例えばユーザ１０にユーザ２０より高いポイントを付与することもできる。
【００９７】
（第３実施形態）
続いて、図２７から図２９を参照して、本件の第３実施形態について説明する。図２７は第３実施形態に係るサイネージ端末４００の動作の一部を例示するフローチャートである。図２８は第３実施形態に係る広告候補リストの一例である。図２７に示すフローチャートでは、第１実施形態で説明したステップＳ３０３の処理（図１４参照）に代えて、表示タイミング判断処理を有する点で、第１実施形態と相違する。
【００９８】
また、図２８に示すように、第３実施形態に係る広告候補リストは広告種別と端末状態と明暗をさらに含む広告情報を管理する点で、第１実施形態に係る広告候補リスト（図７参照）と相違する。ここで、広告種別は広告データの種別を表している。端末状態はサイネージ端末４００が広告を表示する際の状態に関する条件を表している。例えば、端末状態「撮影中」はカメラアプリが稼働しているときに、サイネージ端末４００は広告を表示できることを表している。明暗はサイネージ端末４００が広告を表示する際の周囲の照度に関する条件を表している。例えば、明暗「ブライト」はサイネージ端末４００の周囲の照度が閾値より大きい場合（具体的には、明るい場合）、サイネージ端末４００は広告を表示できることを表している。
【００９９】
次に、図２９を参照して、上述した表示タイミング判断処理について説明する。図２９は表示タイミング判断処理の一例を示すフローチャートである。ステップＳ３０１の処理において、制御部４０９が広告候補リストを受け付けなかったと判断した場合（図２７参照）、制御部４０９は表示タイミング判断処理を実行する（ステップＳ９００）。具体的には、図２９に示すように、制御部４０９は現在時刻を取得し（ステップＳ９０１）、次いで、現在位置を取得する（ステップＳ９０２）。ステップＳ９０２の処理が完了すると、制御部４０９は稼働アプリを判別する（ステップＳ９０３）。
【０１００】
ここで、制御部４０９はカメラアプリが稼働していると判断した場合（ステップＳ９０４：ＹＥＳ）、端末状態として撮影中を保持する（ステップＳ９０５）。制御部４０９はカメラアプリが稼働しておらず、通話アプリが稼働していると判断した場合（ステップＳ９０４：ＮＯ、Ｓ９０６：ＹＥＳ）、端末状態として通話中を保持する（ステップＳ９０７）。制御部４０９は通話アプリが稼働しておらず、ブラウザアプリが稼働していると判断した場合（ステップＳ９０６：ＮＯ、Ｓ９０８：ＹＥＳ）、端末状態としてＷｅｂ閲覧中を保持する（ステップＳ９０９）。尚、制御部４０９はブラウザアプリが稼働していないと判断した場合（ステップＳ９０８：ＮＯ）、表示タイミングとしてＮＯを保持し、表示タイミング判断処理を終える。
【０１０１】
ステップＳ９０５，Ｓ９０７，Ｓ９０９のいずれかの処理が完了すると、次いで、制御部４０９は照度を取得する（ステップＳ９１０）。より詳しくは、制御部４０９はサイネージ端末４００の周囲の照度を検出部４０６から取得する。ここで、制御部４０９は照度が閾値より大きいと判断した場合（ステップＳ９１１：ＹＥＳ）、明暗としてブライトを保持する（ステップＳ９１２）。一方、制御部４０９は照度が閾値以下であると判断した場合（ステップＳ９１１：ＮＯ）、明暗としてダークを保持する（ステップＳ９１３）。
【０１０２】
ステップＳ９１２，Ｓ９１３のいずれかの処理が完了すると、制御部４０９は広告候補リストを確認し（ステップＳ９１４）、該当広告があるか否かを判断する（ステップＳ９１５）。より詳しくは、制御部４０９は現在時刻、現在位置、端末状態、及び明暗が広告候補リストで管理された広告情報における各条件を満足する広告情報があるか否かを判断する。
【０１０３】
制御部４０９は該当広告がないと判断した場合（ステップＳ９１５：ＮＯ）、表示タイミングとしてＮＯを保持し（ステップＳ９１６）、表示タイミング判断処理を終える。一方、制御部４０９は該当広告があると判断した場合（ステップＳ９１５：ＹＥＳ）、表示タイミングとしてＹＥＳを保持し（ステップＳ９１７）、対象の広告情報から広告データを取得する（ステップＳ９１８）。ステップＳ９１８の処理が完了すると、制御部４０９は表示タイミング判断処理を終える。これにより、制御部４０９は取得した広告データに応じた広告を後続の処理で表示する。
【０１０４】
以上、第３実施形態によれば、サイネージ端末４００は周囲の照度に応じて広告を表示したり、広告を表示しなかったりする。したがって、広告が視認され易い照度になった際にサイネージ端末４００が広告を表示すれば、無駄な消費電力を抑えつつ、効果的に広告を表示することができる。また、サイネージ端末４００の状態（具体的には稼働アプリの種別）に応じて、広告の表示を切り替えることもでき、サイネージ端末４００周囲の状況に適した広告を表示することもできる。
【０１０５】
（第４実施形態）
続いて、図３０から図３５を参照して、本件の第４実施形態について説明する。図３０は第４実施形態に係る広告配信システムＳの一例を部分的に示す図である。第３実施形態では、サイネージ端末４００を利用して説明したが、サイネージ端末４００に代えて、広告を表示する表示装置６１０と表示装置６１０を制御する車載サイネージ装置６２０とを備えた車両ＣＲを利用してもよい。特に、車載サイネージ装置６２０はEngine Control Unit（ＥＣＵ）６３０から車両ＣＲの走行状態及び走行環境を取得し、取得した走行状態及び走行環境に基づいて表示装置６１０に広告を表示したり、広告を表示しなかったりする。
【０１０６】
図３１は車載サイネージ装置６２０のハードウェア構成の一例である。図３１に示すように、車載サイネージ装置６２０は、プロセッサとしてのＣＰＵ６２０Ａ、ＲＡＭ６２０Ｂ、ＲＯＭ６２０Ｃ、ＮＶＭ６２０Ｄ及び広域通信回路６２０Ｅを含んでいる。広域通信回路６２０Ｅにはアンテナ６２０Ｅ´が接続されている。広域通信回路６２０Ｅに代えて広域通信機能を実現するＣＰＵが利用されてもよい。また、車載サイネージ装置６２０は、入力Ｉ／Ｆ６２０Ｆ及び出力Ｉ／Ｆ６２０Ｇを含んでいる。ＣＰＵ６２０Ａから出力Ｉ／Ｆ６２０Ｇまでは、内部バス６２０Ｈによって互いに接続されている。少なくともＣＰＵ６２０ＡとＲＡＭ６２０Ｂとが協働することによってコンピュータが実現される。尚、ＣＰＵ６２０Ａに代えて上述したＭＰＵをプロセッサとして利用してもよい。入力Ｉ／Ｆ６２０Ｆには、ＥＣＵ６３０が接続される。ＥＣＵ６３０にはブレーキ、速度計、及び照光装置（例えばヘッドライトやテールランプなど）が接続されているため、ＥＣＵ６３０はブレーキ及び速度計から車両ＣＲの走行状態を取得でき、照光装置から車両ＣＲの走行環境（例えば夜間走行など）を取得できる。一方、出力Ｉ／Ｆ６２０Ｇには、表示装置６１０が接続される。
【０１０７】
図３２は車載サイネージ装置６２０のブロック図の一例である。車載サイネージ装置６２０は記憶部６２１、通信部６２２、及び制御部６２３を含んでいる。尚、記憶部６２１は例えば上述したＮＶＭ６２０Ｄによって実現される。通信部６２２は例えば上述した広域通信回路６２０Ｅ及びアンテナ６２０Ｅ´によって実現される。制御部６２３は例えば上述したＣＰＵ６２０Ａによって実現される。
【０１０８】
記憶部６２１は広告候補リストや広告表示用アプリを記憶する。広告候補リストは、図３３に示すように、広告ＩＤとコンテンツサーバ１００から送信された広告情報を関連付けて広告ＩＤ毎に管理する。特に、第４実施形態に係る広告候補リストは、第３実施形態に係る広告候補リスト（図２８参照）が管理する端末状態に代えて走行状態を管理する点で相違する。走行状態は車両ＣＲが広告を表示する際の走行条件を表している。例えば、走行状態「走行」は車両ＣＲが走行しているときに、車載サイネージ装置６２０は表示装置６１０に広告を表示できることを表している。尚、明暗は車載サイネージ装置６２０が表示装置６１０に広告を表示する際の照度の条件を表している。例えば、明暗「ダーク」は車両ＣＲの周囲の照度が閾値以下である場合（具体的には、夜間など暗い場合）、車載サイネージ装置６２０は表示装置６１０に広告を表示できることを表している。
【０１０９】
通信部６２２は広告配信サーバ２００から配信されて携帯基地局ＢＳから無線通信ＷＬ１により送信された広告候補リストを受信して制御部６２３に出力する。また、通信部６２２は表示報告情報を無線通信ＷＬ１により広告配信サーバ２００に向けて送信する。制御部６２３は車載サイネージ装置６２０の動作を制御する。例えば、制御部６２３は現在位置と現在時刻とＥＣＵ６３０から取得した走行状態と走行環境が、記憶部６２１の広告候補リストが管理する広告情報の広告場所、広告時刻、走行状態、及び明暗に関する条件を満足している場合、条件を満足する広告情報の広告データと広告表示用アプリを利用して表示装置６１０を制御し、表示装置６１０に広告を表示する。例えば、制御部６２３は広告の表示を停止すると、表示報告情報を生成して通信部６２２に出力する。その他、制御部６２３は種々の処理を実行するが、制御部６２３が実行する種々の処理の詳細については後述する。
【０１１０】
図３４は第４実施形態に係る車載サイネージ装置６２０の動作の一部を例示するフローチャートである。図３４に示すフローチャートでは、第１実施形態で説明したステップＳ３０４の処理（図１４参照）で表示タイミングであると判断された後、ステップＳ３０６の処理で広告が表示される前に、広告情報選択処理を有する点で、第１実施形態と相違する。尚、第１実施形態では、ステップＳ３０４，Ｓ３０６の処理などを制御部４０９が実行したが、第４実施形態では、ステップＳ３０４，Ｓ３０６の処理などを制御部６２３が実行する。
【０１１１】
次に、図３５を参照して、広告情報選択処理について説明する。図３５は広告情報選択処理の一例を示すフローチャートである。ステップＳ３０４の処理において、制御部６２３が表示タイミングであると判断した場合（図３４参照）、制御部６２３は広告情報選択処理を実行する（ステップＳ９５０）。具体的には、図３５に示すように、制御部６２３は走行状態を取得し（ステップＳ９５１）、速度が１０ｋｍ／ｈ以上であるか否かを判断する（ステップＳ９５２）。例えば、制御部６２３は速度計から出力された走行状態をＥＣＵ６３０から取得し、速度が１０ｋｍ／ｈ以上であるか否かを判断する。尚、速度を判断するための閾値速度は１０ｋｍ／ｈに限定されず適宜定めればよい。
【０１１２】
制御部６２３は速度が１０ｋｍ／ｈ以上であると判断した場合（ステップＳ９５２：ＹＥＳ）、走行状態として走行を保持する（ステップＳ９５３）。一方、制御部６２３は速度が１０ｋｍ／ｈ未満であると判断した場合（ステップＳ９５２：ＮＯ）、ブレーキ操作があるか否かを判断する（ステップＳ９５４）。例えば、制御部６２３はブレーキ操作の有無をＥＣＵ６３０から取得し、ブレーキ操作があるか否かを判断する。制御部６２３はブレーキ操作がないと判断した場合（ステップＳ９５４：ＮＯ）、走行状態として徐行を保持する（ステップＳ９５５）。一方、制御部６２３はブレーキ操作があると判断した場合（ステップＳ９５４：ＹＥＳ）、走行状態として停止を保持する（ステップＳ９５６）。
【０１１３】
ステップＳ９５３，Ｓ９５５，Ｓ９５６のいずれかの処理が完了すると、次いで、制御部６２３は照光装置がオンか否かを判断する（ステップＳ９５７）。例えば、制御部６２３は照光装置のオン又はオフをＥＣＵ６３０から取得し、照光装置がオンか否かを判断する。制御部６２３は照光装置がオフであると判断した場合（ステップＳ９５７：ＮＯ）、明暗としてブライトを保持する（ステップＳ９５８）。一方、制御部６２３は照光装置がオンであると判断した場合（ステップＳ９５７：ＹＥＳ）、明暗としてダークを保持する（ステップＳ９５９）。ステップＳ９５９の処理が完了すると、制御部６２３は広告データを取得する（ステップＳ９６０）。例えば、制御部６２３は現在位置と現在時刻と走行状態と走行環境が、記憶部６２１の広告候補リストが管理する広告情報の広告場所、広告時刻、走行状態、及び明暗に関する条件を満足する広告情報の広告データを取得する。ステップＳ９６０の処理が完了すると、制御部６２３は広告情報選択処理を終える。
【０１１４】
以上、第４実施形態によれば、車両ＣＲの走行状態や走行環境に応じて、車載サイネージ装置６２０は表示装置６１０に様々な広告を表示したり、広告を表示しなかったりする。したがって、例えば車両ＣＲが走行している際には、車載サイネージ装置６２０は表示装置６１０に静止画の広告を表示することができる。特に、走行環境が日中である場合には、汎用的な静止画の広告を表示し、走行環境が夜間である場合には、表示が明るくなり過ぎない静止画の広告を表示することができる。これにより、環境に配慮された広告であると歩行者に印象付けることができる。
【０１１５】
また、車両ＣＲが交差点などで停止している際には、車載サイネージ装置６２０は表示装置６１０に５秒から１０秒程度の動画の広告を表示する。これにより、信号待ちの歩行者はしばらくの間、広告を見続けることができる。さらに、車両ＣＲが徐行している際には、車載サイネージ装置６２０は表示装置６１０に２秒から３秒程度のアニメーションの広告を表示してもよい。このように広告を表示しても、歩行者の目が広告に向かう可能性がある。
【０１１６】
以上、本発明の好ましい実施形態について詳述したが、本発明に係る特定の実施形態に限定されるものではなく、特許請求の範囲に記載された本発明の要旨の範囲内において、種々の変形・変更が可能である。
【０１１７】
例えば、上述した第１実施形態では、サイネージ端末４００は対向する２つのディスプレイ４００Ｈ，４００Ｉを備えていたが、サイネージ端末４００は２つのディスプレイ４００Ｈ，４００Ｉを同じ側に備えていてもよい。また、サイネージ端末４００はディスプレイ４００Ｈ，４００Ｉのいずれか一方を備えていてもよい。例えば、サイネージ端末４００がディスプレイ４００Ｈを備えた場合、ディスプレイ４００Ｈの画面レイアウトを分割し、一方の画面に待受画面を表示し、他方の画面に広告を表示してもよい。
【０１１８】
さらに、第１実施形態から第３実施形態では、サイネージ端末４００又は第１サイネージ端末４１０及び第２サイネージ端末４２０を利用して説明したが、サイネージ端末４００、第１サイネージ端末４１０及び第２サイネージ端末４２０に代えて、表示装置６１０やサイネージ装置６２０などを含む車両ＣＲを利用してもよい。さらに、広告配信サーバ２００とポイント管理サーバ３００の各機能をいずれか一方に集約してもよいし、コンテンツサーバ１００とポイント管理サーバ３００の各機能をいずれか一方に集約してもよい。
【０１１９】
なお、以上の説明に関して更に以下の付記を開示する。
（付記１）広告を表示する第１無線通信装置と、前記第１無線通信装置の周囲に位置する第２無線通信装置と、前記広告に関する広告情報を前記第１無線通信装置に配信し、前記第１無線通信装置の第１位置情報と前記第２無線通信装置の第２位置情報を収集し、前記第１位置情報と前記第２位置情報とに基づく距離が閾値距離以内である場合、前記第１無線通信装置と対応付けられた第１対象情報を前記広告の効果に応じて更新する情報処理装置と、を有する広告配信システム。
（付記２）前記情報処理装置は、前記距離が閾値距離以内である場合、前記第２無線通信装置のユーザに前記広告が視認されたと判断し、前記第１対象情報を更新する、ことを特徴とする付記１に記載の広告配信システム。
（付記３）前記第１無線通信装置は、前記広告の表示を報知する報知情報を送信し、前記第２無線通信装置は、前記報知情報を受信した場合に、前記情報処理装置に前記第２位置情報を送信する、ことを特徴とする付記１又は２に記載の広告配信システム。
（付記４）前記第１無線通信装置は、前記広告の表示を報知する報知情報を送信し、前記第２無線通信装置は、前記報知情報を受信した場合であって、前記広告情報を有していないとき、前記情報処理装置から前記広告情報を取得し、取得した前記広告情報に基づいて前記広告を表示する、ことを特徴とする付記１から３のいずれか１項に記載の広告配信システム。
（付記５）前記情報処理装置は、前記第２位置情報を収集した場合、前記第２無線通信装置と対応付けられた第２対象情報を前記広告の効果と異なる効果で更新する、ことを特徴とする付記１から４のいずれか１項に記載の広告配信システム。
（付記６）前記第１無線通信装置は、稼働中のアプリを判別し、稼働中のアプリに応じた広告を表示する、ことを特徴とする付記１から５のいずれか１項に記載の広告配信システム。
（付記７）前記第１無線通信装置は、周囲の照度を検出し、検出した照度に応じた広告を表示する、ことを特徴とする付記１から６のいずれか１項に記載の広告配信システム。
（付記８）広告情報を配信する情報処理装置と接続可能な無線通信装置であって、前記情報処理装置から配信された広告情報に基づいて、前記広告情報に応じた広告を表示する表示部を有し、前記情報処理装置は、前記無線通信装置の第１位置情報と前記無線通信装置の周囲に位置する他の無線通信装置の第２位置情報を収集し、前記第１位置情報と前記第２位置情報とに基づく距離が閾値距離以内である場合、前記無線通信装置と対応付けられた対象情報を前記広告の効果に応じて更新する、ことを特徴とする無線通信装置。
（付記９）広告に関する広告情報を、前記広告を表示する第１無線通信装置に配信し、前記第１無線通信装置の第１位置情報と前記第１無線通信装置の周囲に位置する第２無線通信装置の第２位置情報を収集し、前記第１位置情報と前記第２位置情報とに基づく距離が閾値距離以内である場合、前記第１無線通信装置と対応付けられた対象情報を前記広告の効果に応じて更新する、処理を実行する処理部を備える情報処理装置。
（付記１０）広告情報を配信する情報処理装置と接続可能な無線通信装置のコンピュータが実行する制御方法であって、前記制御方法は、前記情報処理装置から配信された広告情報に基づいて、前記広告情報に応じた広告を表示する処理、を有し、前記情報処理装置は、前記無線通信装置の第１位置情報と前記無線通信装置の周囲に位置する他の無線通信装置の第２位置情報を収集し、前記第１位置情報と前記第２位置情報とに基づく距離が閾値距離以内である場合、前記無線通信装置と対応付けられた対象情報を前記広告の効果に応じて更新する、ことを特徴とする制御方法。
（付記１１）広告に関する広告情報を、前記広告を表示する第１無線通信装置に配信し、前記第１無線通信装置の第１位置情報と前記第１無線通信装置の周囲に位置する第２無線通信装置の第２位置情報を収集し、前記第１位置情報と前記第２位置情報とに基づく距離が閾値距離以内である場合、前記第１無線通信装置と対応付けられた対象情報を前記広告の効果に応じて更新する、処理をコンピュータが実行する情報処理方法。
（付記１２）広告情報を配信する情報処理装置と接続可能な無線通信装置のコンピュータに実行させる制御プログラムであって、前記制御プログラムは、前記情報処理装置から配信された広告情報に基づいて、前記広告情報に応じた広告を表示する処理、を有し、前記情報処理装置は、前記無線通信装置の第１位置情報と前記無線通信装置の周囲に位置する他の無線通信装置の第２位置情報を収集し、前記第１位置情報と前記第２位置情報とに基づく距離が閾値距離以内である場合、前記無線通信装置と対応付けられた対象情報を前記広告の効果に応じて更新する、ことを特徴とする制御プログラム。
（付記１３）広告に関する広告情報を、前記広告を表示する第１無線通信装置に配信し、前記第１無線通信装置の第１位置情報と前記第１無線通信装置の周囲に位置する第２無線通信装置の第２位置情報を収集し、前記第１位置情報と前記第２位置情報とに基づく距離が閾値距離以内である場合、前記第１無線通信装置と対応付けられた対象情報を前記広告の効果に応じて更新する、処理をコンピュータに実行させる情報処理プログラム。
【符号の説明】
【０１２０】
Ｓ  広告配信システム
１００  コンテンツサーバ
２００  広告配信サーバ
３００  ポイント管理サーバ
４００  サイネージ端末
５００  スマート端末
【図１】
2019049781.tif 000003
【図２】
2019049781.tif 000004
【図３】
2019049781.tif 000005
【図４】
2019049781.tif 000006
【図５】
2019049781.tif 000007
【図６】
2019049781.tif 000008
【図７】
2019049781.tif 000009
【図８】
2019049781.tif 000010
【図９】
2019049781.tif 000011
【図１０】
2019049781.tif 000012
【図１１】
2019049781.tif 000013
【図１２】
2019049781.tif 000014
【図１３】
2019049781.tif 000015
【図１４】
2019049781.tif 000016
【図１５】
2019049781.tif 000017
【図１６】
2019049781.tif 000018
【図１７】
2019049781.tif 000019
【図１８】
2019049781.tif 000020
【図１９】
2019049781.tif 000021
【図２０】
2019049781.tif 000022
【図２１】
2019049781.tif 000023
【図２２】
2019049781.tif 000024
【図２３】
2019049781.tif 000025
【図２４】
2019049781.tif 000026
【図２５】
2019049781.tif 000027
【図２６】
2019049781.tif 000028
【図２７】
2019049781.tif 000029
【図２８】
2019049781.tif 000030
【図２９】
2019049781.tif 000031
【図３０】
2019049781.tif 000032
【図３１】
2019049781.tif 000033
【図３２】
2019049781.tif 000034
【図３３】
2019049781.tif 000035
【図３４】
2019049781.tif 000036
【図３５】
2019049781.tif 000037